(57)【特許請求の範囲】
【請求項１】
電子機器を保持ユニットに固定するための閉鎖装置（１）であって、
前記閉鎖装置（１）は、
-第一の取付け部（２１）を持つ第一の閉鎖部（２）と
-第二の取付け部（３１）を持ち、かつ閉じる方向（Ｘ）に第一の閉鎖部（２）に取り付けられることができる、第二の閉鎖部（３）と、を持ち、
少なくとも一つのスレッド（２１１，３１１）が前記第一および第二の取付け部（２１，３１）の一方に配置され、少なくとも一つの係合エレメント（３１１，２１１）が、前記第一および第二の取付け部（３１，２１）の他方に配置されて、前記第一および第二の閉鎖部（２，３）を互いに取り付ける際に、前記少なくとも一つの係合エレメント（３１１，２１１）が前記少なくとも一つのスレッド（２１１，３１１）の上を走る、前記閉鎖装置（１）において、
前記取り付ける際に前記第一の閉鎖部（２）と前記第二の閉鎖部（３）との間に磁気吸引が働く磁気デバイス（２２，３２）を備え、前記少なくとも一つのスレッド（２１１，３１１）がピッチ（α）を持ち、前記第一および第二の閉鎖部（２，３）を互いに取り付ける際に、前記磁気デバイス（２２，３２）の磁気吸引により、前記少なくとも一つのスレッド（２１１，３１１）と前記少なくとも一つの係合エレメント（３１１，２１１）とが互いの上を走り、それにより、前記第一および第二の閉鎖部（２，３）が閉じる方向（Ｘ）周りの回転方向（Ｄ）に互いに対して自動的に捻られ、
前記第一および第二の閉鎖部（２，３）が互いに取り付けられた連結状態において、前記第一および第二の閉鎖部（２，３）を、回転方向とは反対方向の捻りに対抗するために、機械的にインターロックして、
連結した状態において、前記第一および第二の閉鎖部の一方（３）の突起エレメント（３３１）が、他方の閉鎖部（２）のストッパー面(２１７)と、回転方向（Ｄ）と逆方向に当接し、
双方の前記閉鎖部（２，３）が互いに取り付けられたとき、前記閉鎖部（２，３）の自動的な捻りにより、前記突起エレメント（３３１）が自動的に前記ストッパー面（２１７）の背後にはまり、機械的インターロックを確立することを特徴とする閉鎖装置。
【請求項２】
請求項１に記載の閉鎖装置において、前記第一の取付け部（２１）と前記第二の取付け部（３１）にそれぞれ少なくとも一つのスレッドが配置され、前記第一および第二の閉鎖部（２，３）を取り付ける時に、それらが互いにその上を走ることを特徴とする閉鎖装置。
【請求項３】
請求項１または請求項２に記載の閉鎖装置において、前記閉鎖部（２，３）が互いに取り付けられた連結状態において、前記磁気デバイス（２２，３２）は、前記第一および第二の閉鎖部（２，３）の互いに対して、回転方向（Ｄ）と反対方向への捻りに抵抗することを特徴とする閉鎖装置。
【請求項４】
請求項１に記載の閉鎖装置において、前記突起エレメント（３３１）が前記閉鎖部の一方（３）のハウジング部品（３０）と弾性的に連結されたロックレバー（３３）に形成されて、それにより、前記突起エレメント（３３１）が、前記ストッパー面（２１７）と接触しないように、動くことができることを特徴とする閉鎖装置。
【請求項５】
請求項１から４のいずれか一項に記載の閉鎖装置において、前記第一の取付け部（２１）、および/または前記第二の取り付け部（３１）が、少なくとも部分的に、閉じる方向（Ｘ）に向かって円錐形に形成されてなることを特徴とする閉鎖装置。
【請求項６】
請求項１から５のいずれか一項に記載の閉鎖装置において、前記少なくとも一つのスレッド（２１１，３１１）が、他方の閉鎖部（２，３）の前記取付け部（３１，２１）に向き合う面（２１８，３１８）で、閉じる方向（Ｘ）に対してある角度で傾いていることを特徴とする閉鎖装置。
【請求項７】
電子機器を保持ユニットに固定するための閉鎖装置（１）であって、
前記閉鎖装置（１）は、
-第一の取付け部（２１）を持つ第一の閉鎖部（２）と
-第二の取付け部（３１）を持ち、かつ閉じる方向（Ｘ）に第一の閉鎖部（２）に取り付けられることができる、第二の閉鎖部（３）と、を持ち、
少なくとも一つのスレッド（２１１，３１１）が前記第一および第二の取付け部（２１，３１）の一方に配置され、少なくとも一つの係合エレメント（３１１，２１１）が、前記第一および第二の取付け部（３１，２１）の他方に配置されて、前記第一および第二の閉鎖部（２，３）を互いに取り付ける際に、前記少なくとも一つの係合エレメント（３１１，２１１）が前記少なくとも一つのスレッド（２１１，３１１）の上を走る、前記閉鎖装置（１）において、
前記取り付ける際に前記第一の閉鎖部（２）と前記第二の閉鎖部（３）との間に磁気吸引が働く磁気デバイス（２２，３２）を備え、前記少なくとも一つのスレッド（２１１，３１１）がピッチ（α）を持ち、前記第一および第二の閉鎖部（２，３）を互いに取り付ける際に、前記磁気デバイス（２２，３２）の磁気吸引により、前記少なくとも一つのスレッド（２１１，３１１）と前記少なくとも一つの係合エレメント（３１１，２１１）とが互いの上を走り、それにより、前記第一および第二の閉鎖部（２，３）が閉じる方向（Ｘ）周りの回転方向（Ｄ）に、互いに対して自動的に捻られており、
第一の端部（２１４，３１４）における前記少なくとも一つのスレッド（２１１，３１１）が、閉じる方向（Ｘ）に沿って測って、第二の端部（２１４，３１４）におけるよりも小さい高さ（Ｈ１）を有することを特徴とする閉鎖装置。
【請求項８】
請求項１から７のいずれか一項に記載の閉鎖装置において、前記少なくとも一つのスレッド（３１１）が、第一の部分（３１１Ａ）と第二の部分（３１１Ｂ）を持つことを特徴とする閉鎖装置。
【請求項９】
請求項８に記載の閉鎖装置において、前記第一および第二の部分（３１１Ａ、３１１Ｂ）が異なるピッチおよび/または方向を有することを特徴とする閉鎖装置。
【請求項１０】
請求項８または９に記載の閉鎖装置において、前記閉鎖部（２，３）を互いに配置して取り付ける際に、
前記少なくとも一つの係合エレメント（２１１）が第一の部分（３１１Ａ）に係合する時、前記閉鎖部（２，３）が第一の回転方向（Ｄ）に互いに対して捻られ、
前記少なくとも一つの係合エレメント（２１１）が第二の部分（３１１Ｂ）に係合する時、前記閉鎖部（２，３）が第一の回転方向（Ｄ）とは逆の、第二の回転方向（Ｄ’）に、互いに対して捻られることを特徴とする閉鎖装置。
【請求項１１】
請求項１から１０のいずれか一項に記載の閉鎖装置において、前記閉鎖部（２１，３１）の一つに、前記少なくとも一つのスレッド（２１１，３１１）に対する補助的なスレッド（２１１Ａ、３１１Ａ）が配置され、前記補助的なスレッド（２１１Ａ，３１１Ａ）が、前記閉鎖部（２，３）を互いに配置して取り付ける際に、回転方向（Ｄ）、または反対の回転方向（Ｄ’）にも、互いに対して捻ることができるようにするため、前記少なくとも一つのスレッド（２１１，３１１）に対し鏡面対称に形成されてなることを特徴とする閉鎖装置。
【請求項１２】
請求項１から１１のいずれか一項に記載の閉鎖装置において、回転方向（Ｄ）に見て、前記少なくとも一つのスレッド（２１１）にガイド部分（２３）が連結し、前記スレッド（２１１）を通過した後、前記係合エレメント（３１１）を、閉じる方向（Ｘ）にガイド可能であることを特徴とする閉鎖装置。
【請求項１３】
請求項１２に記載の閉鎖装置において、前記第一の閉鎖部（２）と前記第二の閉鎖部（３）が互いに配置された閉じた位置において、前記係合エレメント（３１１）が、前記ガイド部分（２３）に入っており、そのために前記閉鎖部（２，３）の回転方向（Ｄ）の反対方向への互いの捻りがブロックされていることを特徴とする閉鎖装置。
【請求項１４】
請求項１２または１３に記載の閉鎖装置において、前記ガイド部分（２３）が、閉じる方向（Ｘ）を横断して延びており、前記ガイド部分（２３）を閉じる方向（Ｘ）とは反対に境を形成しているストッパー面（２３１）を有し、前記係合エレメント（３１１）が前記ガイド部分（２３）の中で閉じる方向（Ｘ）と反対に動く際に、前記ストッパー面（２３１）に当たることを特徴とする閉鎖装置。
【請求項１５】
請求項１から１４のいずれか一項に記載の閉鎖装置において、前記電子機器が、携帯電話、特にはスマートフォン、ＰＤＡまたはその他の電子通信機器であることを特徴とする閉鎖装置。
【請求項１６】
請求項１から１５のいずれか一項に記載の閉鎖装置（１）を持つ電子装置。
【発明の詳細な説明】
【技術分野】
【０００１】
本発明は、請求項1のプリアンブルに係る閉鎖装置に関する。
【背景技術】
【０００２】
このような閉鎖装置は、特には保持ユニットに電子機器を固定するために用いられる。例えば、このような閉鎖装置を用いて、携帯電話、特にはスマートフォン、またはその他の、例えばナビゲーション装置等の通信機器を、例えば車両のダッシュボード等の保持ユニットに固定することができる。
【０００３】
このような閉鎖装置は、第一の取付け部を持つ第一の閉鎖部と、第二の取付け部を持つ第二の閉鎖部と、で構成される。第二の閉鎖部は、第一の閉鎖部に閉じる方向に取り付けることができる。取付け部の一方には、少なくとも一つのスレッドが、取付け部の他方には、少なくとも一つの係合エレメントを配置して、二つの閉鎖部を互いに取り付ける際に、前記係合エレメントが少なくとも一つのスレッドの上を走るようにする。
【０００４】
特許文献１により、それぞれのケースで閉鎖部にスレッドが配置されている閉鎖装置は公知である。この閉鎖部はそれぞれが磁石を持ち、この磁石が閉鎖部を互いに磁気的に取り付けるのを補助している。閉鎖部を互いに取り付けた後、閉鎖を完了するために、閉鎖部は手動で互いにねじ締めされて、閉鎖を完了させる必要がある。
【先行技術文献】
【特許文献】
【０００５】
【特許文献１】ＷＯ９２/１８０２８Ａ１
【発明の概要】
【発明が解決しようとする課題】
【０００６】
本発明の目的は、例えば車両のダッシュボードのような保持ユニットに、簡単で、便利で、機械的に安定な方法で電子機器を保持できる閉鎖装置を提供することである。
【０００７】
この目的は、請求項１の特徴を持つ対象物(Gegenstand)により解決できる。
【課題を解決するための手段】
【０００８】
本発明によれば、閉鎖装置には、さらに、取り付ける時に第一の閉鎖部と第二の閉鎖部との間に磁気吸引力を働かせる磁気デバイスが備えられる。閉鎖部を互いに取り付ける際に、磁気デバイスの磁気吸引力によって、少なくとも一つのスレッドと、少なくとも一つの係合エレメントとが互いにその上を走って、それにより閉鎖部が、閉じる方向廻りの回転方向に互に対して自動的に捻られるようなピッチ（Steigung）を、少なくとも一つのスレッドが有する。
【０００９】
ここで言うピッチとは、一般的に理解されているように、スレッドの勾配を示す量(ein Mass fuer die Steilheit des Gewindegangs)のことである。ピッチは、閉鎖部を互い対して捻る時、捻りの距離量当たりの、閉鎖部間の閉じる方向の移動距離に対応する。
【００１０】
一方の閉鎖部の取付け部におけるスレッドと、他方の閉鎖部の係合エレメントとの係合は、それによってセルフロックとならない。閉鎖部を閉じる方向に互いに取り付けることにより、閉鎖部間の磁気吸引力により、取付け部と、取付け部を介して閉鎖部は自動的にねじ込まれて、一方の取付け部のスレッドが他方の取付け部の係合エレメントと自動的に噛み合うようになる。
【００１１】
それによって、取り付けプロセスが非常に簡単になり、使用者は閉鎖部を互いに（大まかに）セットするだけでよい。閉鎖部をねじ締めすることによる機械的なインターロックは、適当なディメンションの磁気デバイスによる磁気吸引力のもとで生じる。
【００１２】
閉鎖部を互いに当接して取り付ける時、磁気エレメント間に磁気吸引力が発生するように、例えば各閉鎖部は、異なる極性を持って互いに向き合う永久磁石の形の磁気エレメントを持つ。
【００１３】
ある実施例においては、各取付け部に一つまたは複数のスレッドを配置している。各々の場合において、第一の閉鎖部の第一の取付け部と、第二の閉鎖部の第二の取付け部には、一つまたは複数のスレッドが配置され、閉鎖部を互いに取り付ける際に、そのスレッドは互の上を走り、それによって閉鎖部は互いにスレッド係合状態になる。
【００１４】
閉鎖部が互いに取り付けられた連結状態において、一方の取付け部の少なくとも一つのスレッドと、例えば同じようにスレッドの形をした他方の取付け部の少なくとも一つの係合エレメントとが、ねじ込まれて互いに係合している。閉鎖部は磁気デバイスにより互いに対して所定の位置に保持される。磁気デバイスは、スレッド係合が緩んで、閉鎖部の互いに対する係合のゆるみに対して抵抗する。
【００１５】
さらに、閉鎖部が互いに取り付けられた連結状態にあるとき、閉鎖部を互いに対して正しい位置に保持する機械式のインターロックを備えることも可能である。このような機械式のインターロックは、閉鎖部の回転方向とは逆方向に、互いに対する閉鎖部の緩みに抵抗し、閉鎖装置が（意図しない）開きをしないようにする。
【００１６】
このような機械的インターロックは、一方の閉鎖部の突起エレメントにより作り出され、その突起エレメントは連結状態において、他方の閉鎖部のストッパー面に密着することで、閉鎖部が連結状態から抜け出さないようにする。
【００１７】
突起エレメントを、例えば関連する閉鎖部のハウジング部品と弾性変形可能に連結されたロックレバーに形成することができる。閉鎖部が連結状態で機械的にインターロックされている場合、突起エレメントが他方の閉鎖部のストッパー面と接触しないようにするため、ロックレバーを操作して機械的なインターロックを解除することができる。機械的なインターロックを解除すると、閉鎖部が連結位置から抜け出すように捻られて（verdrehen）、閉鎖装置を開く。
【００１８】
ある有利な実施態様においては、第一の取付け部および/または第二の取付け部は、少なくとも部分的に、閉じる方向に円錐の形をしている。第一の取付け部と第二の取付け部は閉じる方向に円筒状に形成するのではなく、少なくとも部分的に円錐状に形成することで取付け部を互いに当接して取り付けるのが容易になる。
【００１９】
ここで円錐形の形態とは、第一の取付け部および/または第二の取付け部が、ベース形状が円錐形の、外囲幾何体（einhuellenden geometrischen Koerper）の形状を有する、すなわち、例えば円錐台のベース形状を有する、という意味である。ここでは、第一の取付け部および/または第二の取付け部が全体として円錐形状である必要はなく、第一の取付け部の部分および/または第二の取付け部の一部分が、外囲胴体の円錐状のベース形状（konische Grundform des einhuellenden Koerpers）で決定されていればそれで十分である。
【００２０】
取付け部は、そのスレッドに、または、取付け部を互いに取り付ける際に接するその他の平面部分も、円錐状に成形できる。
【００２１】
特には、一方または両方の取付け部のスレッドは、他方の閉鎖部の他方の取付け部に向き合う側に、閉じる方向に対してある角度で傾けることで円錐形に形成できる。
【００２２】
取付け部の互いの取り付けは、スレッドの高さを―閉じる方向に沿って見て―変動させることでさらに改善される。特に、スレッドは前方の端部の高さを、もう一つの後方の端部の高さより小さくできる。
【００２３】
ここで高さとは、閉じる方向における前方のガイド面と、閉じる方向における後方のガイド面との間の、閉じる方向に沿って測った距離のことである。この距離は、スレッドに沿って見て変動し、場所によって異なる値を取ることができる。例えば、高さを連続的に変化させることができ、例えば、回転方向に見たとき、連続的に大きくすることができる。
【００２４】
ある実施態様では、少なくとも一つのスレッドを直線的に形成して、それによって、ベース形状が円筒状の取付け部の周りに直線的に延びて、取付け部の開口部において、一方の取付け部では、スレッドは例えば外側面（Mantelflaeche）に延び、他方の取付け部では、スレッドは、内側面に延びている。
【００２５】
さらに、スレッドを直線的に延ばさず、その方向を変えて異なるピッチを持たせることも可能である。こうすることで、スレッドは、ピッチの異なる第一の部分と第二の部分とを持つことができる。そのため第一の部分は、例えば閉じる方向に対して傾き、それに対して第二の部分は、閉じる方向に沿って走ることができる。特には、閉鎖装置を開くために、不意に開くのを防止するように設計される、捻り(回転)と引きを組み合わせた作動（Dreh-Zieh-Bewegung）が得られる。
【００２６】
これらの部分が、異なる回転方向に取り付けられるとき、異なる方向に向き、互いに対して閉鎖部の捻りを生み出すように調整される。閉鎖部が互いに取り付けられるとき、第一回転方向における閉鎖部の互いに対する捻りは、少なくとも一つのスレッドの第一係合における少なくとも一つの係合エレメントとの係合で生み出される。反対の回転方向、すなわち、第一回転方向に対する第二回転方向への閉鎖部の互いに対するひねりは、少なくとも一つのスレッドの第二部分における少なくとも一つの係合エレメントの係合で生じる。
スレッドの第一部分を通り抜けた後、係合エレメントが第二部分で走るように、閉鎖部の互いに対する捻り方向は逆転されるようにスレッド部分は互いに隣接する。スレッドは、取付け部に沿って蛇行形態で延びることができるように、追加の部分は、第二部分に隣接する。
【００２７】
他の実施例においては、取付け部の各スレッドに補助的な、鏡面対称のスレッドも配置される。係合エレメントがスレッドに係合する際、閉鎖部は、事前に設定した方法で互いに向き合って動く。一方、係合エレメントが、補助的なスレッドに係合すると、閉鎖部は、正反対の鏡面対称の方法で、互いに対して相対的に動く。取り付けの際の閉鎖部の互に対する動きは基本的に同じであるが、互いに正反対の動きである。このような補助的なスレッドによって、閉鎖部を異なる方向にスレッドで一緒に固定することが可能になる。
【００２８】
ある実施例においては、回転方向に見て、少なくとも一つのスレッドにガイド部分が接続し、その中で係合エレメントは、閉じる方向にスレッドを通過した後、ガイドされる。このガイド部分は例えば、閉じる方向に沿って延び、係合エレメントに対するキャッチ（Falle）になる。スレッドを通過した後、係合エレメントがガイド部分の区域に届き、ガイド部分内で閉鎖方向に向かってに動く。閉鎖部が互いに取り付けられている閉じた位置において、係合エレメントはガイド部分に入り、それにより、回転方向と逆向きに、閉鎖部の互いに対する捻りがブロックされる。
【００２９】
別の実施例においては、ガイド部分は閉じる方向を横切って延びるストッパー面を有し、それでガイド部分を閉じる方向と逆の方向に仕切る。もし、閉鎖装置を開くために閉鎖部が互いに離れるように動き、閉鎖部が閉じる方向と反対に互い離れるように動くと、それにより係合エレメントはガイド部分の中で閉じる方向と逆に動き、ガイド部分を閉じる方向と反対に仕切っているストッパー面に密着させる。それにより,閉鎖部を閉じる方向と反対に、さらに互いを引き離すように動かすことができなくなり、その結果、閉鎖部を閉じる方向と逆に引くだけでは簡単に閉鎖部が開くことができなくなり、特に、この方法によって閉鎖装置が不意に開くのを防止する。
【００３０】
閉鎖部が互いに対して反対方向に捻られて、それによって係合エレメントがガイド部分のストッパー面の領域から抜け出す時だけ、係合エレメントが回転方向と反対にスレッドに沿ってスライドして、閉鎖部間の連結を解除することにより、閉鎖部を互いに分離させることができる。
【００３１】
閉じる方向と逆に、閉鎖部をシンプルに引くだけでは、閉鎖部を開くことができない。
そうではなくて、閉鎖部を開くためには、まずガイド部分のなかで閉じる方向とは逆に係合エレメントを動かし、それから閉鎖部を互い対して逆回転方向に捻る必要がある。閉鎖部が不意に開くのを防止するため、意識的な操作によってのみ開くことが可能になる。
【００３２】
電子機器は、例えば携帯電話、特にはスマートフォンとして構成することができる。電子機器は例えばナビゲーション装置、またはその他の通信機器でもよい。保持ユニットとしては例えば、電子機器を固定するダッシュボードがある。
【００３３】
本発明の基礎を成す概念を、図で示す実施例を用いて、以下に詳細に説明する。
【図面の簡単な説明】
【００３４】
【図１Ａ】互にスレッド係合状態となることができる、二つの閉鎖部を有する閉鎖装置の斜視図である。
【図１Ｂ】互にスレッド係合状態となることができる、二つの閉鎖部を有する閉鎖装置の斜視図である。
【図１Ｃ】スレッドのピッチを示す略図である。
【図１Ｄ】スレッドの高さの変化を示す略図である。
【図２Ａ】閉鎖装置の平面図である。
【図２Ｂ】図２Ａの線Ｂ―Ｂに沿った断面図である。
【図３】閉鎖装置の別の実施例の斜視図である。
【図４】閉鎖装置の閉鎖部が結合した状態の、図３による閉鎖装置の斜視図である。
【図５】図３および図４の閉鎖装置の平面図である。
【図６Ａ】閉鎖装置の平面図である。
【図６Ｂ】図６Ａの線Ａ―Ａに沿った断面図である。
【図７Ａ】閉鎖装置の別の実施例の分解斜視図である。
【図７Ｂ】閉鎖装置の別の実施例の分解斜視図である。
【図８Ａ】さらに別の閉鎖装置の実施例の斜視図である。
【図８Ｂ】さらに別の閉鎖装置の実施例の斜視図である。
【図９Ａ】閉鎖装置の別の実施例の分解斜視図である。
【図９Ｂ】閉鎖装置の別の実施例の分解斜視図である。
【図１０Ａ】開いた位置における閉鎖装置の斜視図である。
【図１０Ｂ】開いた位置にある閉鎖装置の部分切開・側面図である。
【図１１Ａ】閉じる場合の閉鎖装置の斜視図である。
【図１１Ｂ】閉じる場合の閉鎖装置の部分切開・側面図である。
【図１２Ａ】さらに閉じた場合の閉鎖装置の斜視図である。
【図１２Ｂ】さらに閉じた場合の閉鎖装置の部分切開・側面図である。
【図１３Ａ】一つの閉鎖部の係合エレメントがもう一つの閉鎖部のガイ    ド部分にガイドされる時の閉鎖装置の斜視図である。
【図１３Ｂ】図１３Ａによる組立を部分切開・側面図である。
【図１４Ａ】ある閉じた位置での閉鎖装置の斜視図である。
【図１４Ｂ】その閉じた位置で閉鎖装置を部分切開・側面図である。
【図１５Ａ】開く時の閉鎖装置の斜視図である。
【図１５Ｂ】開く時の閉鎖装置を部分切開・側面図である。
【図１６Ａ】さらに開いた時の閉鎖装置の斜視図である。
【図１６Ｂ】さらに開いた時の閉鎖装置を部分切開・側面図である。
【発明を実施するための形態】
【００３５】
図１Ａ、図１Ｂは閉鎖装置（Verschlussvorrichtung）１の実施例を示すもので、それはメス部の形をした第一の閉鎖部（Vershlussteil）２と、オス部の形をした第二の閉鎖部３とを有する。閉鎖部２，３はそれぞれが取付け部(Ansetzteil)２１，３１を持ち、それらを閉じる方向Ｘに沿って互いにセットされることができる。
【００３６】
一方の閉鎖部２が内側に開口部２１０をもつ取付け部２１を持ち、一方、他方の閉鎖部３の取付け部３１は、ペグ（Zapfen）のような形に作られ、閉じる方向Ｘに、第一の閉鎖部２の取付け部２１の中に挿入される。
【００３７】
開口部２１０の内側側面にスレッド(Gewindegang)２１１が形成され、それは閉鎖部２，３を互い当接して取り付ける時、第二の閉鎖部３の取付け部３１の外側側面３１０でスレッド３１１とスレッド係合にすることができる。
【００３８】
閉鎖部２，３を互いに当接して取り付ける時、直線のガイド面２１２，３１２を持つスレッドが互いの上を走り、そのガイド面２１２，２１３は、スレッドが互いに噛み合ってセルフロック（selbsthemmen）しないように、十分に大きいピッチαを有する。
【００３９】
各閉鎖部２，３には永久磁石の形の磁気エレメント２２，３２が形成される。磁気エレメント２２，３２は互いに向き合って磁気で引合い、取り付け時にスレッド２１１，３１１が互の上を走り、閉鎖部２，３が、スレッド２１１，３１１が互いに接触した状態で自然発生的に回転方向Ｄに回転するようにして、閉鎖部２，３が互いに当接して取り付けられるのを助ける。
【００４０】
閉鎖装置１を開くために閉鎖部２，３を逆に捻る時、後方のガイド面２１３，３１３に、スレッド２１１，３１１が互いに密着するようになる。このガイド面もまた、直線的に形成されているが、図１Ｃに略図で示すように、ガイド面２１２，３１２のピッチαと異なるピッチβを持つ。
【００４１】
図１Ｄで概略を示すように、スレッド２１１、３１１の高さＨ１、Ｈ２を変えて、スレッド２１１、３１１が、第一の端部２１４，３１４において、第二の端部２１５，３１５より小さい高さＨ１を持つようにする。
【００４２】
図２Ａ、図２Ｂの実施例においては、取付け部は、特にそのスレッド２１１，３１１で、少なくとも部分的に円錐形にして、閉じる方向Ｘに対して角度γとなるようにする。
【００４３】
図３から図６Ａ、図６Ｂによる実施例においては、図４，５に示すように、突起エレメント３３１が、第二の閉鎖部３のロックレバー３３の開口部３３０において、閉鎖部２，３が連結した状態で、第一の取付け部２１の外面にある、外側のスレッド２１６でストッパー面（Anschlagflaechen）２１７と接触するようになって、閉鎖部２，３は連結状態で互いに機械的にインターロックされている。ロックレバー３３は、第二の閉鎖部３のハウジング部分３０に対して弾性的に調整が可能なため、ロックレバー３３を駆動させてインターロックを解除し、閉鎖装置１を開くことができる。
【００４４】
図３から図６Ａ、図６Ｂによる実施例においては、閉鎖装置１を閉じるために、第二の（オスの）閉鎖部３は閉じる方向Ｘに第一の（メスの）閉鎖部２にセットされる。ここで、スレッドによって形成される第二の閉鎖部３の係合エレメント３１１は、第一の閉鎖部２の取付け部２１の開口部２１０の中で、円筒状の内側表面にあるスレッド２１１の上を走って、磁気エレメント２２，３２による磁力により、閉鎖部２，３は自然発生的に互いに捻られて（zueinander verdrehen）、互いに係合状態になる。
【００４５】
閉鎖装置１を閉じるために閉鎖部２，３を互いに対して捻る場合、―内側のスレッド２１１，３１１が互いの上を走るのに加えて、突起エレメント３３１がロックレバー３３の開口部３３０の内側の縁において、取付け部２１の円筒形の外側カバー表面の外側のスレッド２１６の上を走る。これにより、ハウジング部分３０に対して弾力性のあるロックレバー３３は、閉じる方向Ｘとは反対方向に（僅かに）変形して、突起エレメント３３１が外側のスレッド２１６を通過した後に、ストッパー面２１７の背後にはまり、それにより、図４および５に示すように、ストッパー面２１７エリアに入り込むようになる。
【００４６】
突起エレメント３３１とスレッド２１６のストッパー面２１７との間の相互作用によって、閉鎖部２，３の、回転方向Ｄと逆方向への回転運動が容易ではなくなる。閉鎖装置１を開けるためには、先ずロックレバー３３を、突起エレメント３３１がストッパー面２１７の区域を出るまで、スレッド２１６に対して持ち上げる。それによって、閉鎖部２，３は回転方向Ｄと逆向きに互いに捻られて、はじめて閉鎖装置１が開く。
【００４７】
図７Ａ、図７Ｂによる実施例においては、第二の閉鎖部３の取付け部３１は、それぞれが異なる方向を向いた異なる部分３１１Ａ、３１１Ｂ、３１１Ｃを有するスレッドを持つ。第一の閉鎖部２の取付け部２１の開口部２１０中に、ペグ状の形（zapfenfoermig）をした係合エレメント２１１が形成され、閉鎖部２，３が互いに置かれるとき、スレッド３１１と係合状態となる。スレッドの異なる部分により、この閉鎖部２，３は互いに対して異なる回転方向Ｄ、Ｄ’に捻られる。
【００４８】
スレッド３１１に段があるために、特に、連結された状態から不意に閉鎖装置１が開くのが防止される。
【００４９】
異なる部分３１１Ａ、３１１Ｂ、３１１Ｃにおけるスレッド３１１のピッチによって、閉鎖部２，３が互いに置かれるとき、一方では第一の閉鎖部２と他方では第二の閉鎖部３とにおける磁気エレメント２２，３２の間の磁気吸引相互作用によって、閉鎖部２，３が、閉じる方向Ｘに自動的に互いに係合される。
【００５０】
図８Ａ、図８Ｂの実施例においては、閉鎖部２，３が左回転または右回転して互いに置かれるように、スレッド３１１はそれぞれ、鏡面対称（spiegelsymmetrisch）に形成された補助的なスレッド３１１’を持つ。スレッド３１１と補助的なスレッド３１１’はそれぞれ異なった方向に向かう二つの異なる部分３１１Ａ、３１１Ｂ、３１１Ａ’、３１１Ｂ’を有する。
【００５１】
第一の閉鎖部３を第二の閉鎖部２に閉じる方向Ｘに取り付ける場合、係合エレメント２１１は、第一の閉鎖部２の開口部２１０の中で、それぞれ、スレッド３１１，３１１’に共通の入口位置３１７に挿入される。係合エレメント２１１は、右回転して一方のスレッド３１１の部分３１１Ａか、または左方向に回転して、他方の補助的なスレッド３１１’の部分３１１Ａ’のいずれかにガイドされる。この第一の部分３１１Ａ、３１１Ａ’を通過した後、係合エレメント２１１は、隣接した、逆方向に向かう部分３１１Ｂ、３１１Ｂ’を通り、磁気エレメント２２，３２の磁気吸引力によって助けられて、閉鎖部２，３は、スレッド３１１、３１１’を通過した後、閉じた位置に達する。
【００５２】
同様に、閉鎖装置を異なる回転方向に開くことは可能である。閉鎖装置１を開くためには、係合エレメント２１１が―右回転しながら―先ず一方のスレッド３１１の部分３１１Ｂに、または―左回転しながら―他方の補助的なスレッド３１１’の部分３１１Ｂ’に入り込むように、第一の閉鎖部２を第二の閉鎖部３に対して捻られる。それぞれの部分３１１Ｂ、３１１Ｂ’を通過した後、係合エレメント２１１は、再び逆方向に向かってそれに隣接している部分３１１Ａ、３１１Ａ’に達し、それらを通過した後、係合エレメント２１１は、入口位置３１７で、それぞれ、スレッド３１１，３１１’を出て、閉鎖部２，３を互いに分離することができる。
【００５３】
スレッド３１１、およびこれに配置された補助的なスレッド３１１’を備えて、閉鎖部２，３を互いに当接して取り付けること、および閉鎖部２，３を互いに元の回転方向（すなわち、元の左方向または元の右方向）とは異なる方向に捻る（Verdrehen）ことにより、閉鎖装置１を閉じることが可能になる。第一の部分３１１Ａ、３１１Ａ’（閉じる場合）または３１１Ｂ、３１１Ｂ’（開く場合）を通過した後に、スレッド３１１，３１１’ の部分３１１Ａ、３１１Ｂ、３１１Ａ’、３１１Ｂ’が互いに対して反対方向に向いているため、回転方向が逆転する。
【００５４】
図９Ａ、図９Ｂから図１６Ａ、図１６Ｂは、二つの閉鎖部２，３を持つ閉鎖装置１の別の実施例を示し、閉鎖装置１を閉じる方向Ｘに閉じるために、二つの閉鎖装部２，３が互いにセットされることができる。第一の閉鎖部２はこの場合、取付け部２１の開口部２１０をもつメスの部品であり、その中に、ペグ状の形をした取付け部３１を持つオス部品型の第二の閉鎖部３が挿入される。
【００５５】
この実施例では、第二の閉鎖部３の取付け部３１に、突起状の係合エレメント(Eingriffselement)３１１が形成され、それは閉鎖部２，３を当接して取り付ける時、第一の閉鎖部２の取付け部２１の開口部２１０の内側の側面にあるスレッド２１１とかみ合い状態になり、スレッド２１１の中に入り込む。
【００５６】
この係合エレメント３１１はそれぞれ二つの互いに平行に、斜めに延びたガイド面３１２，３１３を持ち、それらがスレッド２１１に入り込むとき、スレッド２１１を仕切っているガイド面２１２，２１３と接触するようになる。この場合、スレッド２１１のピッチは、閉鎖部２，３を互いに当接するように取り付ける時に、係合エレメント３１１が、閉鎖部２，３の磁気エレメント２２，３２の磁気吸引力によって、自動的にスレッド２１１に沿って滑り、それにより閉鎖部２，３の間に自動的な連結が生ずるようになっている。
【００５７】
閉鎖部２，３を互いに取り付ける際に、係合エレメント３１１が入り込むスレッド２１１に、閉じる方向Ｘに沿って垂直に延びて、またそれぞれの係合エレメント３１１に対するラッチ（Falle）となるガイド部分２３が接続する。配置されたスレッド２１１を通過した後、係合エレメント３１１はスレッド２１１に接続しているガイド部分２３の中に入り込み、磁気エレメント２２，３２の間の磁気吸引力によって、ガイド部分２３の受け入れ部分２３０に引き込まれて、係合エレメント３１１は、閉鎖装置１の閉じた位置において、ガイド部分２３の受け入れ部２３０に入り込む。
【００５８】
閉じる場合の閉鎖装置１をそれぞれ図１０Ａ、図１０Ｂから図１３Ａ、図１３Ｂの図で示す。図１４Ａ、１４Ｂはそれが閉じた位置における閉鎖装置１を示す。続いて、図１５Ａ、図１５Ｂおよび図１６Ａ、図１６Ｂに閉鎖装置１が開く時の閉鎖装置を示す。
【００５９】
図１０Ａ、図１０Ｂから図１６Ａ、図１６Ｂまでの図は、斜視図（図１０Ａ・・・１６Ａ）およびそれとは別の側面図（図１０Ｂ・・・１６Ｂ）である。閉鎖装置１が開く時、または閉じる時に、第二の閉鎖部３の配置された係合エレメント３１１が、どのようにスレッド２１１の中で動くか分かるように、スレッド２１１の区域で第一の閉鎖部２を部分切り取りしている。
【００６０】
各係合エレメント３１１が、閉じた位置（図１４Ａ、図１４Ｂ）において、配置されたスレッド２１１に接続するガイド部分２３の受け入れ部２３０に入り込むので、閉じた位置において、閉鎖部２，３を互いに対して捻ることができなくなる。特に、閉鎖装置１が（不意に）開かないようにするために、第二の閉鎖部３が第一の閉鎖部２に対して、回転方向Ｄと反対方向（entgegen der Drehrichtung）に回転できないようにする。
【００６１】
閉鎖装置１を開くためには、図１５Ａ、図１５Ｂで示すように、この方法で各係合エレメント３１１をＸ’方向に、配置されたガイド部分２３の中で持ち上げるように、閉じる方向Ｘとは逆に、すなわち逆方向Ｘ’に、先ず、第二の閉鎖部３を第一の閉鎖部２に対して動かす必要がある。このガイド部分２３はストッパー面２３１により閉じる方向Ｘと逆、すなわちＸ’方向に境を形成しており、その結果、閉鎖装置１を開く場合、第二の閉鎖部３が第一の閉鎖部２に対してＸ’方向に動くと、ストッパー面３１６を持つ係合エレメント３１１は、このストッパー面２３１と密着するようになる。このために第二の閉鎖部３はＸ’方向にそれ以上動くことができなくなり、特に、閉鎖部２，３を引くだけでは閉鎖装置を開くことができなくなる。
【００６２】
その代わりに、ガイド部分２３の中で係合エレメント３１１を持ち上げた後、閉鎖部２，３は、回転方向Ｄ’と逆の回転方向Ｄに互いに対して捻られて、その結果、係合エレメント３１１がスレッド２１１に沿ってスライドし、閉鎖部２、３が、図１６Ａ、１６Ｂに示すように、互いに離れるようになる。
【００６３】
係合エレメント３１１がスレッド２１１の区域から抜け出ると、閉鎖部２，３は互に分離する。
【００６４】
図１４Ａ、図１４Ｂの閉じた位置において、閉鎖部２，３は磁気吸引力により、互いに当接して保持され、それにより係合エレメント３１１はガイド部分２３の受け入れ部２３０中に磁力で保持される。それにより、閉鎖装置１が意図していないのに、不意に開くことは少なくとも困難になる。開くにあたり、使用者は、ガイド部分２３の中で係合エレメント３１１がＸ’方向にスライドするように、作用している磁気エレメント２２，３２の磁気吸引力に抗して、閉鎖部２，３を互いに引き離して、またその後に閉鎖部２，３を回転方向Ｄ’に互いに対して捻って閉鎖装置１を開く必要がある。
【００６５】
磁気エレメント２２，３２はそれぞれを永久磁石で形成し、その磁気エレメント２２，２３は異なる極性を持って互いに向き合い、閉鎖部２，３の設置を互いに磁気的にサポートする。
【００６６】
同様に、磁気エレメント２２，３２の一つを永久磁石として、もう一つの磁気エレメント２２，２３を、強磁性であるがそれ自身は永久磁石の効果を持たない材料でできた磁気切片として形成することも可能である。
【００６７】
さらに、磁気エレメント２２，３２が、それぞれ、閉じる方向Ｘを横切る面に複数の互いにオフセットした磁極を持つようにすることも可能である。この方法によって磁気エレメント２２，３２が閉じる方向Ｘに磁気吸引力が働くだけでなく、閉鎖部２，３の捻りをアシストすることもできる。例えば各磁気エレメント２２，３２に、閉じる方向Ｘを横切る面において、二つの異なる磁極を持たせ、それにより閉鎖部２，３を互いに取り付ける場合、磁気によるトルクを働かせて、閉じる運動を助ける。
【００６８】
本発明は、本明細書に記載した実施例に限定されるものではなく、全く異なる方法でも実現できる。
【００６９】
ここに記載したような閉鎖装置は電子機器を保持ユニットに連結するために使用されるだけでなく、全く異なる使用目的に対しても使用できる。ここに記載したような閉鎖装置は、一般に、二つの部品を互いに連結するために使用できる。
以下、本発明に含まれる態様を記す。
[態様１]  電子機器を保持ユニットに固定するための閉鎖装置（１）であって、
前記閉鎖装置（１）は、
―第一の取付け部（２１）を持つ第一の閉鎖部（２）と
―第二の取付け部（３１）を持ち、かつ閉じる方向（Ｘ）に第一の閉鎖部（２）に取り付けられることができる、第二の閉鎖部（３）と、を持ち、
少なくとも一つのスレッド（２１１，３１１）が前記第一および第二の取付け部（２１，３１）の一方に配置され、少なくとも一つの係合エレメント（３１１，２１１）が、前記第一および第二の取付け部（３１，２１）の他方に配置されて、前記第一および第二の閉鎖部（２，３）を互いに取り付ける際に、前記少なくとも一つの係合エレメント（３１１，２１１）が前記少なくとも一つのスレッド（２１１，３１１）の上を走る、前記閉鎖装置（１）において、
前記取り付ける際に前記第一の閉鎖部（２）と前記第二の閉鎖部（３）との間に磁気吸引が働く磁気デバイス（２２，３２）を備え、前記少なくとも一つのスレッド（２１１，３１１）がピッチ（α）を持ち、前記第一および第二の閉鎖部（２，３）を互いに取り付ける際に、前記磁気デバイス（２２，３２）の磁気吸引により、前記少なくとも一つのスレッド（２１１，３１１）と前記少なくとも一つの係合エレメント（３１１，２１１）とが互いの上を走り、それにより、前記第一および第二の閉鎖部（２，３）が閉じる方向（Ｘ）周りの回転方向（Ｄ）に、互いに対して自動的に捻られることを特徴とする閉鎖装置。
[態様２]  態様１に記載の閉鎖装置において、前記第一の取付け部（２１）と前記第二の取付け部（３１）にそれぞれ少なくとも一つのスレッドが配置され、前記第一および第二の閉鎖部（２，３）を取り付ける時に、それらが互いにその上を走ることを特徴とする閉鎖装置。
[態様３]  態様１または態様２に記載の閉鎖装置において、前記閉鎖部（２，３）が互いに取り付けられた連結状態において、前記磁気デバイス（２２，３２）は、前記第一および第二の閉鎖部（２，３）の互いに対して、回転方向（Ｄ）と反対方向への捻りに抵抗することを特徴とする閉鎖装置。
[態様４]  態様１から３のいずれか一項に記載の閉鎖装置において、前記第一および第二の閉鎖部（２，３）が互いに取り付けられた連結状態において、前記第一および第二の閉鎖部（２，３）を、回転方向（Ｄ）と反対方向の捻りに抵抗するために、機械的にインターロックすることを特徴とする閉鎖装置。
[態様５]  態様４に記載の閉鎖装置において、連結した状態において、前記第一および第二の閉鎖部の一方（３）の突起エレメント（３３１）が、他方の閉鎖部（２）のストッパー面（２１７）と、回転方向（Ｄ）と逆方向に当接していることを特徴とする閉鎖装置。
[態様６]  態様５に記載の閉鎖装置において、前記突起エレメント（３３１）が前記閉鎖部の一方（３）のハウジング部品（３０）と弾性的に連結されたロックレバー（３３）に形成されて、それにより、前記突起エレメント（３３１）が、前記ストッパー面（２１７）と接触しないように、動くことができることを特徴とする閉鎖装置。
[態様７]  態様１から６のいずれか一項に記載の閉鎖装置において、前記第一の取付け部（２１）、および/または前記第二の取り付け部（３１）が、少なくとも部分的に、閉じる方向（Ｘ）に向かって円錐形に形成されてなることを特徴とする閉鎖装置。
[態様８]  態様１から７のいずれか一項に記載の閉鎖装置において、前記少なくとも一つのスレッド（２１１，３１１）が、他方の閉鎖部（２，３）の前記取付け部（３１，２１）に向き合う面（２１８，３１８）で、閉じる方向（Ｘ）に対してある角度で傾いていることを特徴とする閉鎖装置。
[態様９]  態様１から８のいずれか一項に記載の閉鎖装置において、第一の端部（２１４，３１４）における前記少なくとも一つのスレッド（２１１，３１１）が、閉じる方向（Ｘ）に沿って測って、第二の端部（２１４，３１４）におけるよりも小さい高さ（Ｈ１）を有することを特徴とする閉鎖装置。
[態様１０]  態様１から９のいずれか一項に記載の閉鎖装置において、前記少なくとも一つのスレッド（３１１）が、第一の部分（３１１Ａ）と第二の部分（３１１Ｂ）を持つことを特徴とする閉鎖装置。
[態様１１]  態様１０に記載の閉鎖装置において、前記第一および第二の部分（３１１Ａ、３１１Ｂ）が異なるピッチおよび/または方向を有することを特徴とする閉鎖装置。
[態様１２]  態様１０または１１に記載の閉鎖装置において、前記閉鎖部（２，３）を互いに配置して取り付ける際に、
―前記少なくとも一つの係合エレメント（２１１）が第一の部分（３１１Ａ）に係合する時、前記閉鎖部（２，３）が第一の回転方向（Ｄ）に互いに対して捻られ、
―前記少なくとも一つの係合エレメント（２１１）が第二の部分（３１１Ｂ）に係合する時、前記閉鎖部（２，３）が第一の回転方向（Ｄ）とは逆の、第二の回転方向（Ｄ’）に、互いに対して捻られることを特徴とする閉鎖装置。
[態様１３]  態様１から１２のいずれか一項に記載の閉鎖装置において、前記閉鎖部（２１，３１）の一つに、前記少なくとも一つのスレッド（２１１，３１１）に対する補助的なスレッド（２１１Ａ、３１１Ａ）が配置され、前記補助的なスレッド（２１１Ａ，３１１Ａ）が、前記閉鎖部（２，３）を互いに配置して取り付ける際に、回転方向（Ｄ）、または反対の回転方向（Ｄ’）にも、互いに対して捻ることができるようにするため、前記少なくとも一つのスレッド（２１１，３１１）に対し鏡面対称に形成されてなることを特徴とする閉鎖装置。
[態様１４]  態様１から１３のいずれか一項に記載の閉鎖装置において、回転方向（Ｄ）に見て、前記少なくとも一つのスレッド（２１１）にガイド部分（２３）が連結し、前記スレッド（２１１）を通過した後、前記係合エレメント（３１１）を、閉じる方向（Ｘ）にガイド可能であることを特徴とする閉鎖装置。
[態様１５]  態様１４に記載の閉鎖装置において、前記第一の閉鎖部（２）と前記第二の閉鎖部（３）が互いに配置された閉じた位置において、前記係合エレメント（３１１）が、前記ガイド部分（２３）に入っており、そのために前記閉鎖部（２，３）の回転方向（Ｄ）の反対方向への互いの捻りがブロックされていることを特徴とする閉鎖装置。
[態様１６]  態様１４または１５に記載の閉鎖装置において、前記ガイド部分（２３）が、閉じる方向（Ｘ）を横断して延びており、前記ガイド部分（２３）を閉じる方向（Ｘ）とは反対に境を形成しているストッパー面（２３１）を有し、前記係合エレメント（３１１）が前記ガイド部分（２３）の中で閉じる方向（Ｘ）と反対に動く際に、前記ストッパー面（２３１）に当たることを特徴とする閉鎖装置。
[態様１７]  態様１から１６のいずれか一項に記載の閉鎖装置において、前記電子機器が、携帯電話、特にはスマートフォン、ＰＤＡまたはその他の電子通信機器であることを特徴とする閉鎖装置。
[態様１８]    態様１から１７のいずれか一項に記載の閉鎖装置（１）を持つ電子装置。
【符号の説明】
【００７０】
１                        閉鎖装置
２                        閉鎖部（メス部品）
２０                      ハウジング部品
２１                      取付け部
２１０                    開口部
２１１                    スレッド
２１２，２１３            ガイド面
２１４，２１５            端部
２１６                    ロックエレメント
２１７                    ストッパー面
２１８                    側面
２２                      磁気エレメント
２３                      ガイド部分
２３０                    受け入れ部
２３１                    ストッパー面
３                        閉鎖部（オス部品）
３０                      ハウジング部品
３１                      取付け部
３１０                    開口部
３１１                    スレッド
３１１Ａ-Ｃ              部分
３１２，３１３            ガイド面
３１４，３１５            端部
３１６                    ストッパー面
３１７                    入口位置
３１８                    外側
３２                      磁気エレメント
３３                      ロックレバー
３３０                    開口部
３３１                    突起エレメント
３３２                    連結アーム
α、β                    ピッチ角
Ｄ、Ｄ’                  回転方向
Ｈ１、Ｈ２                高さ
Ｘ                        閉じる方向
【図１Ａ】
0006774407.tif 000002
【図１Ｂ】
0006774407.tif 000003
【図１Ｃ】
0006774407.tif 000004
【図１Ｄ】
0006774407.tif 000005
【図２Ａ】
0006774407.tif 000006
【図２Ｂ】
0006774407.tif 000007
【図３】
0006774407.tif 000008
【図４】
0006774407.tif 000009
【図５】
0006774407.tif 000010
【図６Ａ】
0006774407.tif 000011
【図６Ｂ】
0006774407.tif 000012
【図７Ａ】
0006774407.tif 000013
【図７Ｂ】
0006774407.tif 000014
【図８Ａ】
0006774407.tif 000015
【図８Ｂ】
0006774407.tif 000016
【図９Ａ】
0006774407.tif 000017
【図９Ｂ】
0006774407.tif 000018
【図１０Ａ】
0006774407.tif 000019
【図１０Ｂ】
0006774407.tif 000020
【図１１Ａ】
0006774407.tif 000021
【図１１Ｂ】
0006774407.tif 000022
【図１２Ａ】
0006774407.tif 000023
【図１２Ｂ】
0006774407.tif 000024
【図１３Ａ】
0006774407.tif 000025
【図１３Ｂ】
0006774407.tif 000026
【図１４Ａ】
0006774407.tif 000027
【図１４Ｂ】
0006774407.tif 000028
【図１５Ａ】
0006774407.tif 000029
【図１５Ｂ】
0006774407.tif 000030
【図１６Ａ】
0006774407.tif 000031
【図１６Ｂ】
0006774407.tif 000032